(57)【要約】  【課題】  壁面と天井というように異なる設置場所で使用できるカメラ取付装置を提供する。  【解決手段】  雲台１４はカメラ支持部に相当する。雲台１４とカメラ取付台１２の結合方向Ｘが、カメラ設置面１６に垂直な方向に対して傾斜している。さらに、結合方向Ｘに交差した結合基準面Ｙ上でのカメラ取付台１２に対する雲台１４の角度を、設置面１６の角度に応じて変更可能である。好ましくは結合方向Ｘの傾斜角が４５度であり、雲台１４が結合基準面Ｙ上で反転可能である。さらに、雲台１４がカメラ１８の上側および下側に取付可能に構成されている。【選択図】  図１
2005323040.tif 000002
【特許請求の範囲】
【請求項１】
カメラ設置面への取付部が設けられたカメラ取付台と、前記カメラ取付台に結合され、カメラを支持するように構成されたカメラ支持部とを備え、前記カメラ取付台と前記カメラ支持部との結合方向が、前記カメラ設置面に垂直な方向に対して傾斜しており、さらに、前記結合方向に交差した結合基準面上での前記カメラ取付台に対する前記カメラ支持部の角度を変更可能であることを特徴とするカメラ取付装置。
【請求項２】
前記結合方向の傾斜角が４５度であり、前記カメラ支持部が、前記結合基準面上で反転可能であることを特徴とする請求項１に記載のカメラ取付装置。
【請求項３】
前記カメラ支持部が前記カメラの上側および下側に取付可能に構成されていることを特徴とする請求項１または２に記載のカメラ取付装置。
【請求項４】
前記カメラ取付台と前記カメラ支持部とを連通するようにカメラ配線穴が設けられていることを特徴とする請求項１ないし３のいずれかに記載のカメラ取付装置。
【発明の詳細な説明】
【技術分野】
【０００１】
本発明は、監視カメラなどを設置するためのカメラ取付装置に関する。
【背景技術】
【０００２】
従来、監視カメラを壁面および天井などに設置するためにカメラ取付装置が用いられている。従来一般には、カメラ設置場所によって異なるカメラ取付装置が用いられている。例えば、壁面に設置するときと、天井に設置するときでは、カメラが同じでも、取付装置が異なっている。
【０００３】
図７および図８は、壁面用および天井用のカメラ取付装置の例を示している。図７では、壁面用取付台１００が壁面１０２に取り付けられている。壁面用取付台１００は、Ｌ字形で、先端に水平な取付面１０４を有しており、この取付面１０４にカメラが取り付けられる。
【０００４】
一方、図８では、天井用取付台１１０が、天井１１２に取り付けられている。天井用取付台１１２は、棒状で、下端に水平な取付面１１４を有しており、この取付面１１４にカメラが取り付けられる。
【０００５】
また、図７および図８に示すように、カメラケーブル１２０は、カメラ取付台１００、１１０とは別に壁面または天井に埋め込まれている。
【０００６】
また、特許文献１は、壁面および天井に適用可能なカメラ取付装置を開示している。同文献では、ボールジョイントを使ってカメラ取付台とカメラが連結されており、ボールジョイントによってカメラを任意の方向に向けることが可能であり、これにより壁面および天井での使用が可能になっている。
【特許文献１】特開平５−１９１６８９号公報（第２ページ、図１）
【発明の開示】
【発明が解決しようとする課題】
【０００７】
しかしながら、従来のカメラ取付装置においては、壁面用取付台と天井用取付台が異なっており、ユーザは取付場所によって異なるカメラ取付台を選択しなければならず、不便であるという問題があった。また、特許文献１のカメラ取付装置は、壁面と天井の両方で利用できるものの、ボールジョイントを使っているために、固定が確実でないという問題があった。
【０００８】
本発明は、上記課題を解決するためになされたもので、その目的は、異なる設置場所で使用できるカメラ取付装置を提供することにある。
【課題を解決するための手段】
【０００９】
本発明のカメラ取付装置は、カメラ設置面への取付部が設けられたカメラ取付台と、前記カメラ取付台に結合され、カメラを支持するように構成されたカメラ支持部とを備え、前記カメラ取付台と前記カメラ支持部との結合方向が、前記カメラ設置面に垂直な方向に対して傾斜しており、さらに、前記結合方向に交差する結合基準面上での前記カメラ取付台に対する前記カメラ支持部の角度を変更可能である。
【００１０】
この構成により、カメラ設置面の角度の変更に応じて、結合基準面上でのカメラ取付台に対するカメラ支持部の角度を変更することで、カメラの姿勢を好適に保てる。したがって、カメラ取付装置を、壁面と天井といったような角度が異なる複数の設置面で使用することができる。
【００１１】
本発明のカメラ取付装置では、前記結合方向の傾斜角が４５度であり、前記カメラ支持部が、前記結合基準面上で反転可能である。
【００１２】
この構成により、９０度異なる２つの設置面、典型的には壁面と天井とのどちらにカメラを設置したときでも、カメラの姿勢を同じにすることができる。
【００１３】
本発明のカメラ取付装置では、前記カメラ支持部が前記カメラの上側および下側に取付可能に構成されている。この構成により、壁面設置状態と天井設置状態でカメラの上下も同じにすることができる。
【００１４】
本発明のカメラ取付装置では、前記カメラ取付台と前記カメラ支持部とを連通するようにカメラ配線穴が設けられている。この構成により、カメラ配線が露出しなくてよいので、外観イメージを向上することができる。
【発明の効果】
【００１５】
本発明によれば、カメラ取付台とカメラ支持部を、カメラ設置面に垂直な方向に傾斜した結合方向に結合し、かつ、結合方向と交差した結合基準面上でのカメラ取付台とカメラ支持部との角度を変更可能に構成したことにより、壁面と天井といったような異なる設置面で使用することができるという効果を有するカメラ取付装置を提供することができるものである。
【発明を実施するための最良の形態】
【００１６】
以下、本発明の実施の形態のカメラ取付装置について、図面を用いて説明する。本実施の形態では、一つのカメラ取付装置が、壁面と天井という２種類の設置面で使用可能である。以下の説明では、まず、壁面設置状態を示す図１、図２を用いてカメラ取付装置の構成を説明し、それから、壁面設置状態について説明する。図１は、カメラ取付装置の正面図であり、図２は、分解斜視図である。
【００１７】
図示のように、全体構成としては、カメラ取付装置１０は、カメラ取付台１２と雲台１４で構成されている。カメラ取付台１２が設置面１６（壁面）に取り付けられており、雲台１４がカメラ１８に取り付けられている。雲台１４は本発明のカメラ支持部に相当している。本発明の範囲内で、カメラ支持部はカメラ１８に一体化されていてもよい。以下、各部の構成を詳細に説明する。
【００１８】
カメラ取付台１２は、アルミ製であり、板状の取付部２０と、取付部２０の略中央から突出するアーム部２２とを備えている。取付部２０には、アーム部２２を囲むようにして４つの取付穴２４が設けられている。ねじ２６が取付穴２４に通され、設置面１６に締め付けられており、これにより取付部２０が設置面１６に取り付けられ、そして、取付台１２が設置面１６に固定されている。アーム部２２は、取付部２０の略中央から設置面１６に対して垂直方向に、すなわち壁面設置状態では水平方向に延びている。
【００１９】
アーム部２２の先端には結合部３０が設けられており、結合部３０では、アーム部２２が雲台１４の基端部に結合されている。図１および図２ではカメラ取付台１２と雲台１４が分離されているが、実際の使用状態ではカメラ取付台１２と雲台１４は結合部３０で結合されている。
【００２０】
結合部３０は嵌合構造を有している。すなわち、アーム部２２の端面３２に円筒型の挿入部３４が突設されており、雲台１４の端面３６に円形の挿入穴３８が設けられており、挿入部３４および挿入穴３８の直径はほぼ等しい。そして、挿入部３４が挿入穴３８に挿入されており、雲台１４の端面３６がアーム部２２の端面３２に合わさり、これにより、雲台１４とカメラ取付台１２が結合されている。
【００２１】
ここで、挿入部３４は水平方向に対して傾けられており、すなわち、結合部３０の結合方向Ｘが水平方向に対して傾けられている。結合方向Ｘの傾斜角は４５度である。壁面設置状態では、図示のように、結合方向Ｘは水平方向に対して４５度上向きである。
【００２２】
雲台１４とカメラ取付台１２は、結合部３０にてねじ４０で固定されている。３本のねじ４０が、雲台１４の穴４２に通され、挿入部３４のねじ穴４４に締め付けられている。後述するように、本実施の形態では、カメラ取付台１２に対して雲台１４を異なる角度で固定可能であり、この機能が壁面設置と天井設置の両方を可能にするために利用される。
【００２３】
雲台１４は、カメラ取付台１２とカメラ１８を連結している。雲台１４はベース部５０と、パン回動部５２と、チルト回動部５４で構成されている。ベース部５０は上述のように取付台１２に結合されている。パン回動部５２は、ベース部５０に対して、パン面５８上でパン方向に回動可能に取り付けられている。チルト回動部５４は、パン回動部５２に対して、チルト軸６０を中心にチルト方向に回動可能に取り付けられている。図示のように、パン面５８は水平であり、チルト軸６０も水平である。このような構成により、雲台１４は、パン方向とチルト方向に回動可能なようにカメラ１８を支持している。
【００２４】
雲台１４のチルト回動部５４には、カメラ取付部６２が備えられている。図示のように、壁面設置状態では、カメラ取付部６２は、カメラ１８の下面に取り付けられている。カメラ取付部６２には４つの取付穴６４が設けられており、ねじ６６が取付穴６４に通され、カメラ１８のねじ穴に締め付けられ、これにより雲台１４がカメラ１８に取り付けられている。
【００２５】
また、カメラ取付台１２と雲台１４の内部は空洞であり、両部材の内部空洞が連通しており、これによりカメラ配線穴７０が形成されている。カメラ配線穴７０には、カメラケーブル７２が通されている。カメラケーブル７２は、映像および電源等のケーブルであり、一端がカメラ１８に接続されている。そして、カメラケーブル７２は、カメラ取付台１２から設置面１６の中に延びている。
【００２６】
また、カメラ取付台１２の取付部２０には、樹脂製の化粧カバー７４がかぶせられている。化粧カバー７４は、ねじ７６で、取付部２０のねじ穴７８に固定されている。
【００２７】
以上に、壁面設置状態を示す図１、図２を参照して、カメラ取付装置１０の構成を説明した。次に、図３、図４を参照し、同じカメラ取付装置１０が天井に設置されたときの状態を説明する。図３は、壁面設置状態でのカメラ取付装置の正面図であり、図４は分解斜視図である。
【００２８】
図示のように、天井設置状態では、カメラ取付台１２の取付部２０が天井に取り付けられており、アーム部２２は天井から下向きに延びている。アーム部２２の先端には、壁面設置状態と同様に、雲台１４が結合されている。ただし、壁面設置状態と天井設置状態では、カメラ取付台１２に対する雲台１４の取付角度が異なっている。
【００２９】
ここで、雲台１４の取付角度は、結合部３０における挿入部３４の円筒中心線を中心とした周方向の角度であり、したがって、結合方向Ｘに交差した結合基準面Ｙ上での角度である。結合基準面Ｙは、結合部３０の合わせ面に平行な面である。本実施の形態では、天井設置状態と壁面設置状態では、取付角度が１８０度異なっており、すなわち、雲台１４が反対向きに取り付けられている。
【００３０】
図５は、上記のような反転取付を可能にするための結合部３０の構造を示している。図５（ａ）は、図１の線Ａ−Ａでアーム部２２の挿入部３４を切断した断面図である。図示のように、挿入部３４の円筒面の周方向に沿って、６０度おきに等間隔で６つのねじ穴４４ａ〜４４ｆが設けられている。一方、図５（ｂ）は、図１の線ＢーＢで雲台１４を切断した断面図であり、３つの穴４２ａ〜４２ｃが１２０度おきに等間隔で設けられている。
【００３１】
壁面設置状態では、１つおきの３つのねじ穴４４ａ、４４ｃ、４４ｅに、雲台１４の穴４２ａ、４２ｂ、４２ｃがそれぞれ位置合わせされ、そして、３本のねじ４０が締め付けられている。これに対して、天井設置状態では、雲台１４が１８０度回転されて、ねじ穴４４ｄ、４４ｆ、４４ｂに穴４２ａ、４４ｂ、４４ｃが位置合わせされ、そして、３本のねじ４０が締め付けられている。穴４２ａ、４２ｂ、４２ｃは、壁面設置状態と天井設置状態では、反対側のねじ穴に位置合わせされており、これにより、雲台１４の取付角度を１８０度異ならせることができる。
【００３２】
図３に戻ると、雲台１４の取付角度を異ならせたことにより、天井設置状態での雲台１４は、壁面設置状態の雲台１４と上下が逆さまになっている。そして、雲台１４のカメラ取付部６０がカメラ１８の上面に取り付けられている。これにより、カメラ１８の姿勢は、天井設置状態と壁面設置状態で同じになっている。
【００３３】
図６を参照し、上記のようにカメラ姿勢が維持される原理をより詳細に説明する。図６（ａ）および図６（ｂ）は、壁面設置状態および天井設置状態のカメラ取付装置を模式的に示しており、カメラ取付台１２および雲台１４が線で示されている。
【００３４】
ここでは、カメラ取付台１２および雲台１４を通る鉛直平面上での雲台１４の向きを考える。図６（ａ）と図６（ｂ）を比べると、まず、図（ｂ）では、設置面の角度が９０度変わったことに伴い、雲台１４の向きも９０度変わっている。さらに、図６（ｂ）では、結合方向Ｘに交差する面上で雲台１４を１８０度回転させたことで、鉛直平面上での雲台１４の向きが９０度変わっている。
【００３５】
したがって、設置面の変化分と、雲台１４の回転分とで、図示のように、鉛直平面上での雲台１４の向きが１８０度変わり、上下が逆さまになっている。これにより、壁面設置と天井設置で、カメラ１８の姿勢を維持することができている。すなわち、図７および図８に示したような従来の２種類のカメラ取付装置の機能を、本実施の形態の一つのカメラ取付装置１０で果たすことができている。
【００３６】
以上に説明したように、本発明の実施の形態に係るカメラ取付装置１０によれば、カメラ取付台１２と雲台１４（カメラ支持部）との結合方向Ｘが、カメラ設置１６面に垂直な方向に対して傾斜しており、さらに、結合方向Ｘに交差する結合基準面Ｙ上でのカメラ取付台１２に対する雲台１４の角度を変更可能であり、このような構成により、カメラ設置面１６の角度の変更に応じて、結合基準面Ｙ上でのカメラ取付台１２に対する雲台１４の角度を変更することで、カメラ１８の姿勢を好適に保てる。したがって、カメラ取付装置１０を、壁面と天井といったような角度が異なる複数の設置面で使用することができる。
【００３７】
また、本実施の形態では、結合方向Ｘの傾斜角が４５度であり、雲台１４が結合基準面Ｙ上で反転可能であり、これにより、９０度異なる２つの設置面、典型的には上述の実施の形態の壁面と天井とのどちらにカメラ１８を設置したときでも、カメラ１８の姿勢を同じにすることができる。
【００３８】
また、本実施の形態では、雲台１４がカメラ１８の上側および下側に取付可能に構成されており、この構成により、壁面設置状態と天井設置状態でカメラの上下も同じにすることができる。
【００３９】
また、本実施の形態では、カメラ取付台１２と雲台１４とを連通するようにカメラ配線穴が設けられており、この構成により、カメラ配線が露出しなくてよいので、外観イメージを向上できる。
【００４０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００４１】
以上のように、本発明にかかるカメラ取付装置は、壁面と天井といったような異なる設置面で使用することができるという効果を有し、監視カメラ等の取付装置として有用である。
【図面の簡単な説明】
【００４２】
【図１】本発明の実施の形態におけるカメラ取付装置の壁面設置状態の正面図
【図２】本発明の実施の形態におけるカメラ取付装置の壁面設置状態の分解斜視図
【図３】本発明の実施の形態におけるカメラ取付装置の天井設置状態の正面図
【図４】本発明の実施の形態におけるカメラ取付装置の天井設置状態の分解斜視図
【図５】（ａ）結合部のカメラ取付台側の構成を示す図  （ｂ）結合部の雲台側の構成を示す図
【図６】（ａ）壁面設置状態のカメラ取付装置の模式図  （ｂ）天井設置状態のカメラ取付装置の模式図
【図７】従来の壁面設置用のカメラ取付装置を示す図
【図８】従来の天井設置用のカメラ取付装置を示す図
【符号の説明】
【００４３】
１０  カメラ取付装置
１２  カメラ取付台
１４  雲台
１６  設置面
１８  カメラ
２０  取付部
２２  アーム部
３０  結合部
３４  挿入部
３８  挿入穴
６２  カメラ取付部
７０  カメラ配線穴
７２  カメラケーブル
【図１】
2005323040.tif 000003
【図２】
2005323040.tif 000004
【図３】
2005323040.tif 000005
【図４】
2005323040.tif 000006
【図５】
2005323040.tif 000007
【図６】
2005323040.tif 000008
【図７】
2005323040.tif 000009
【図８】
2005323040.tif 000010